(57)【特許請求の範囲】
【請求項１】
貯湯槽を備え、該貯湯槽には該貯湯槽の湯を循環加熱する加温循環系が接続され、また、貯湯槽内の湯を該貯湯槽上部側から各給湯先へ供給する給湯循環管路が設けられており、該給湯循環管路には該給湯循環管路内の湯を循環させる給湯循環ポンプと、給湯循環管路内の湯温を検出する給湯循環温度センサとが設けられている大能力給湯装置であって、前記給湯循環温度センサによって検出される給湯循環検出温度が予め定められた循環開始温度以下となったときには前記給湯循環ポンプを駆動させて給湯循環管路内の湯を循環させ、前記給湯循環検出温度が予め定められた循環停止温度以上となったときには前記給湯循環ポンプを停止させるポンプ駆動制御手段と、前記加温循環系が停止している状態で前記給湯循環検出温度が前記循環開始温度以下となってから予め定められた基準時間以上たったときの前記給湯循環検出温度を求め、該給湯循環検出温度が前記循環開始温度よりも低い予め定められたポンプ故障判断基準温度以下になったときにはその回数をカウントしてこのカウント値が予め与えられた基準回数に達したときには前記給湯循環ポンプの故障と判断する給湯循環ポンプ故障判断部とが設けられていることを特徴とする大能力給湯装置。
【発明の詳細な説明】
【０００１】
【発明の属する技術分野】
本発明は、貯湯槽を備えた大能力給湯装置に関するものである。
【０００２】
【従来の技術】
マンション等の集合住宅、大浴場を備えた独身寮や銭湯、大規模住宅、レストラン等には一時的に大容量の湯が使用されるときに、その大容量給湯負荷に耐え得る大能力給湯装置が備えられている。
【０００３】
図４にはこの種の一般的な大能力給湯装置のシステムが示されている。同図において、貯湯槽１の底部側には電動開閉弁２を介して給水管３が接続されており、この給水管３には前記電動開閉弁２の上流側と下流側とを結ぶバイパス管路４が接続されており、このバイパス管路４には逆止弁５が介設されている。また、給水管３と貯湯槽１の上部側との間は複数の加温循環系６ａ〜６ｄが並列状態に接続されている。この各加温循環系６ａ〜６ｄは入側の弁７と、温水循環ポンプ８と、逆止弁１０と、内部に熱交換器を備えたガス燃焼式の給湯器１１と、出側の弁１２とを備えている（弁７，１２は修理点検時に閉じられるもので、常時は開状態を維持している）。
【０００４】
前記貯湯槽１は貯湯槽１の下部側の湯水の温度を検出する下部側温度センサ１４と、貯湯槽１の上部側の湯水温度を検出する上部側温度センサ１５を備えており、これらの温度センサ１４，１５の検出信号は制御装置１６に加えられている。この制御装置１６は、例えば、下部側温度センサ１４によって検出された検出温度が予め設定した設定温度よりも低いときに、第１系列の加温循環系６ａを駆動制御し、下部側温度センサ１４と上部側温度センサ１５によって検出される検出温度が予め設定した設定温度よりも低いときには全系列の加温循環系６ａ〜６ｄを駆動制御するようになっている。この各加温循環系の駆動制御は、温水循環ポンプ８を駆動して給湯器１１の燃焼運転を行い、入側の弁７側から吸引される湯又は水を給湯器１１で加熱し、この加熱によって作り出した湯を温水供給管１３を介して貯湯槽１の上部側に供給するものである。
【０００５】
貯湯槽１の上部側には給湯管１７が接続され、この給湯管１７の先端側は台所、浴室等の所望の場所に導かれ、水栓２４を開けることにより貯湯槽１内の湯の給湯が水道圧によって行われる。この給湯管１７には逆止弁２０と、この逆止弁２０をバイパスするバイパス通路２１が設けられ、バイパス通路２１には、流水スイッチ２２と給湯循環ポンプ１８とが設けられている。この給湯循環ポンプ１８を駆動することにより、貯湯槽１内の湯は給湯管１７、およびバイパス通路２１から戻り管２５を通して貯湯槽１の上部に戻されるようになっており、図４に示す装置では、給湯管１７、バイパス通路２１、戻り管２５により、貯湯槽１内の湯を貯湯槽１の上部側から各給湯先へ供給する給湯循環管路２３が形成されている。
【０００６】
そして、水栓２４が閉められて湯の使用がされていないときに、この給湯循環管路２３内に常に湯を循環させて、配管の長さが例えば５０〜１００  ｍといったように長い給湯循環管路２３の管内での湯の冷えを防止し、水栓２４が開けられたときには、給湯管１７を介して設定温度の湯を直ちに出湯できる態勢が整えられている。なお、図中、２６はこの給湯管１７から戻り管２５を経て循環する給湯循環管路２３内の湯温を検出する給湯循環温度センサである。
【０００７】
この種の大能力給湯装置において、まず、貯湯槽１が空の状態で、湯を貯えるときには、給水管３から電動開閉弁２を通して水が貯湯槽１の下部から入り込む。そして、水位が下部側温度センサ１４に至ったときに下部側温度センサ１４によって水の温度が検出され、また、水位が上部側温度センサ１５に至ったときには上部側温度センサ１５によって水の温度が検出される。これらの各検出温度は設定温度よりも低いので、貯湯槽１が満水になったときに、制御装置１６により全系列の加温循環系６ａ〜６ｄが駆動され、同時に電動開閉弁２が閉じられる結果、貯湯槽１からの水がバイパス管路４を通って全系列の加温循環系６ａ〜６ｄの給湯器１１によって加熱される。
【０００８】
この加熱された湯は温水供給管１３を通して貯湯槽１内に供給され、貯湯槽１内に湯が貯えられて行き、温度の高い湯は低い湯に比べ比重が小さいので、貯湯槽１の上部に溜まり、温度の低い水は貯湯槽１の下部に溜まる。そして、高温部と低温部との境界は湯の割合が増して行くに従い下方に移動し、この境界が下部側温度センサ１４の下方位置となったときに貯湯槽１の始用開始状態となり、全系列の加温循環系６ａ〜６ｄの運転が停止状態となる。
【０００９】
この状態で、給湯管１７の水栓２４が開けられて湯が使用されると、その使用分の水量が給水管３から電動開閉弁２を通って貯湯槽１の下側から供給され、高温部と低温部の境界は徐々に上昇して行き、下部側温度センサ１４に至ると、下部側温度センサ１４の検出温度が設定温度よりも低くなるので、第１系列の加温循環系６ａが駆動され、給水管３から供給される水と貯湯槽１の下部側からバイパス管路４を通して引き抜かれる水は第１系列の加温循環系６ａの給湯器１１で加熱されて温水供給管１３から貯湯槽１内に供給される。
【００１０】
このように給湯の負荷分だけ加温循環系６ａを通して湯が貯湯槽１内に補充されるが、給湯負荷容量が非常に大きくなると、第１系列の加温循環系６ａの給湯能力が追いつかず、貯湯槽１内の水の割合が徐々に増加し、高温部と低温部との境界はこれに応じて上昇して行く。そして、その境界が上部側温度センサ１５に至ると、上部側温度センサ１５の検出温度が設定温度よりも低くなるので、制御装置１６は全系列の加温循環系６ａ〜６ｄを駆動し、同時に電動開閉弁２が閉じられ、これら各加温循環系６ａ〜６ｄで作り出された湯を温水供給管１３を通して貯湯槽１の上部側から供給し、給湯管１７から水が混じったぬるい湯が出ないようにしている。
【００１１】
【発明が解決しようとする課題】
ところで、上記のような大能力給湯装置においては、前記のように、水栓２４が閉められて湯の使用がされていないときに、給湯循環ポンプ１８を駆動させて給湯循環管路２３内の湯を循環させることにより、管内での湯の冷えを防止しているが、給湯循環ポンプ１８が故障してしまうと、給湯循環管路２３内の湯の循環を行えず、前記管内での湯の冷えを防止できなくなってしまい、水栓２４を開けたときに冷えた湯が出湯されてしまう。
【００１２】
そこで、従来は、制御装置１６によって流水スイッチ２２のオン・オフ信号を取り込み、流水スイッチ２２によって給湯循環管路２３内の湯の流れが検知されれば、給湯循環管路２３内の湯の循環が正常に行われていると判断し、一方、流水スイッチ２２によって給湯循環管路２３内の湯の流れが検知されないときには、給湯循環管路２３内の湯の循環が行われていないと判断して制御装置１６に給湯循環ポンプ１８の故障信号を加え、例えば制御装置１６やリモコン３５に設けられている表示部に給湯循環ポンプ１８の異常表示を行い、同時にリモコン３５の異常警報ランプが点滅して給湯装置の利用者に報知していた。
【００１３】
しかしながら、上記のように、流水スイッチ２２によって給湯循環ポンプ１８の故障を検出する従来の方法によれば、流水スイッチ２２が故障したときには、給湯循環ポンプ１８の故障判断を正確に行うことができないといった問題があった。
【００１４】
本発明は上記従来の課題を解決するためになされたものであり、その目的は、たとえ給湯循環管路に設けた流水スイッチが故障しても給湯循環管路に設けた給湯循環ポンプの故障判断を的確に行い、故障対処を行うことができる大能力給湯装置を提供することにある。
【００１５】
【課題を解決するための手段】
上記目的を達成するために、本発明は次のような構成により課題を解決するための手段としている。すなわち、本発明は、貯湯槽を備え、該貯湯槽には該貯湯槽の湯を循環加熱する加温循環系が接続され、また、貯湯槽内の湯を該貯湯槽上部側から各給湯先へ供給する給湯循環管路が設けられており、該給湯循環管路には該給湯循環管路内の湯を循環させる給湯循環ポンプと、給湯循環管路内の湯温を検出する給湯循環温度センサとが設けられている大能力給湯装置であって、前記給湯循環温度センサによって検出される給湯循環検出温度が予め定められた循環開始温度以下となったときには前記給湯循環ポンプを駆動させて給湯循環管路内の湯を循環させ、前記給湯循環検出温度が予め定められた循環停止温度以上となったときには前記給湯循環ポンプを停止させるポンプ駆動制御手段と、前記加温循環系が停止している状態で前記給湯循環検出温度が前記循環開始温度以下となってから予め定められた基準時間以上たったときの前記給湯循環検出温度を求め、該給湯循環検出温度が前記循環開始温度よりも低い予め定められたポンプ故障判断基準温度以下になったときにはその回数をカウントしてこのカウント値が予め与えられた基準回数に達したときには前記給湯循環ポンプの故障と判断する給湯循環ポンプ故障判断部とが設けられていることを特徴として構成されている。
【００１６】
上記構成の本発明において、貯湯槽に接続された給湯循環管路内の湯温が給湯循環温度センサによって検出される。そして、この給湯循環温度センサによる給湯循環検出温度が予め定められた循環開始温度以下となったときには、ポンプ駆動制御手段によって給湯循環ポンプが駆動させられ、給湯循環管路内の湯の循環が貯湯槽を介して行われる。また、前記給湯循環検出温度が予め定められた循環停止温度以上となったときには、前記ポンプ駆動制御手段によって給湯循環ポンプが停止され、給湯循環管路内の湯の循環が停止される。
【００１７】
そして、このような給湯循環動作を行っているときに、前記貯湯槽の湯を循環加熱する加温循環系が停止している状態で、前記給湯循環検出温度が前記循環開始温度以下となってから予め定められた基準時間以上たったときの前記給湯循環検出温度が求められる。この給湯循環検出温度が前記循環開始温度よりも低い予め定められたポンプ故障判断基準温度以下になったときにはその回数がカウントされ、このカウント値が予め与えられた基準回数に達したときには、給湯循環ポンプ故障判断部によって給湯循環ポンプの故障が判断される。
【００１８】
このように、本発明においては、給湯循環ポンプの故障判断は、給湯循環検出温度に基づいて行われるために、たとえ給湯循環管路に設けた流水スイッチが故障しても給湯循環ポンプ故障判断が的確に行われ、上記課題が解決される。
【００１９】
【発明の実施の形態】
以下、本発明の実施の形態を図面に基づいて説明する。なお、本実施形態例の説明において、従来例と同一名称部分には同一符号を付し、その重複説明は省略する。本実施形態例の大能力給湯装置は、図４に示した従来例と同様のシステム構成を有しており、本実施形態例が従来例と異なる特徴的なことは、給湯循環温度センサ２６によって検出される給湯循環管路２３内の湯温の検出温度を利用して、給湯循環ポンプ１８の駆動制御および故障判断を的確に行えるようにする特有な回路を設けたことである。
【００２０】
この特有な回路は、図１に示すように、ポンプ駆動制御手段３０、カウント指令部４９とカウンタ回路５０を備えた給湯循環ポンプ故障判断部３１、タイマ３２、メモリ部３３を有して構成されており、制御装置１６内に設けられている。なお、給湯循環ポンプ故障判断部３１には、リモコン３５の故障報知部３４が接続されている。
【００２１】
ポンプ駆動制御手段３０には、給湯循環管路２３内の湯の循環開始温度と循環停止温度とが、それぞれ予め定められて与えられており、本実施形態例では、循環開始温度として５０℃が、循環停止温度として５５℃が与えられている。
【００２２】
ポンプ駆動制御手段３０は、給湯循環温度センサ２６によって検出される給湯循環検出温度を取り込み、この給湯循環検出温度が前記循環開始温度以下となったときには給湯循環ポンプ１８を駆動させて、給湯循環管路２３内の湯を貯湯槽１を介して循環させるようにすると共に、前記給湯循環検出温度が前記循環停止温度以上となったときには、給湯循環ポンプ１８を停止させて給湯循環管路２３内の湯の循環を停止させるようにする。
【００２３】
給湯循環ポンプ故障判断部３１には、給湯循環ポンプ１８の故障を判断するための基準となるポンプ故障判断基準温度が予め定められて与えられており、本実施形態例では、ポンプ故障判断基準温度として、前記循環開始温度（５０℃）よりも低い４５℃が、給湯循環ポンプ故障判断部３１に与えられている。給湯循環ポンプ故障判断部３１は、各加温循環系６ａ〜６ｄの各給湯器１１からの燃焼運転動作信号と各温水循環ポンプ１８からのポンプ駆動信号を取り込み、それにより、各加温循環系６ａ〜６ｄの駆動と停止とを判断できるようになっている。また、その一方で、給湯循環ポンプ故障判断部３１は、給湯循環温度センサ２６の給湯循環検出温度も取り込むようになっている。
【００２４】
そして、給湯循環ポンプ故障判断部３１は、加温循環系６ａ〜６ｄが全て停止している状態で、給湯循環温度センサ２６による給湯循環検出温度が前記循環開始温度（５０℃）以下の状態となったときには、タイマ３２を作動させて、このタイマ３２により計測される経過時間をメモリ部３３に予め定められて与えられている基準時間と比較する。なお、本実施形態例では、メモリ部３３に与えられている基準時間は３０分である。そして、給湯循環ポンプ故障判断部３１は、タイマ３２により計測される経過時間が基準時間以上となったときの給湯循環検出温度を給湯循環温度センサ２６から取り込み、この給湯循環検出温度が前記ポンプ故障判断基準温度（４５℃）以下だったときにはカウント指令部４９によってカウンタ回路５０にカウント指令を加え、カウンタ回路５０によって前記基準時間たったときの給湯循環検出温度がポンプ故障温度以下となった回数を数える。
【００２５】
そして、このカウント値（積算値）が、１回以上の、例えば３回といった予め与えられた基準回数に達したときに、ポンプ故障判断部３１は給湯循環ポンプ１８の故障と判断し、ポンプ駆動制御手段３０に給湯循環ポンプ１８の駆動停止指令を加えると共に、制御装置１６の表示部に給湯循環ポンプ故障を表示し、同時にリモコン３５の故障報知部３４に故障判断信号を加える。
【００２６】
故障報知部３４は、給湯循環ポンプ故障判断部３１から加えられる給湯循環ポンプ故障判断信号を受けて、給湯循環ポンプ１８の故障を報知するものであり、本実施形態例では、警報をエラーランプの点滅等によって、給湯循環ポンプ１８の故障を報知するようになっている。
【００２７】
本実施形態例は以上のように構成されており、次のその動作について説明する。本実施形態例でも、従来例と同様に、加温循環系６ａ〜６ｄで作り出された湯の貯湯槽１への供給および、給湯循環管路２３内の湯の循環が行われるが、本実施形態例では、この給湯循環管路２３内の湯の循環に際し、給湯循環温度センサ２６により検出される給湯循環検出温度に基づいて、例えば図３のフローチャートに示すような動作制御が行われる。
【００２８】
まず、ステップ１０１  で、給湯循環温度センサ２６が正常であることを確認し、ステップ１０２  で、給湯循環温度センサ２６によって検出される給湯循環検出温度（Ｔ３  ）が７５℃未満であることを確認する。この７５℃の温度は、給湯循環異常温度として予め与えられているものであり、給湯循環温度センサ２６が正常であり、かつ、給湯循環検出温度が７５℃以上のときには、この給湯循環系に何らかの故障が生じているものと判断されるため、このときには、ステップ１１９  で、故障の確定をし、警報出力等を行うと共に、ステップ１２０  で、大能力給湯装置のシステム全体を停止させる。なお、前記ステップ１０１  で、給湯循環温度センサ２６の故障が判断されたときにも、ステップ１２１  で、警報出力等を行い、ステップ１２２  でシステム全体を停止させる。
【００２９】
前記ステップ１０２  で、給湯循環温度センサ２６の給湯循環検出温度が７５℃未満であることが確認されたときには、ステップ１０３  で、例えばリモコン３５等に設けられている循環保温運転のスイッチをオンとする。そして、ステップ１０４  で、ポンプ駆動制御手段３０は、給湯循環検出温度が前記循環開始温度である５０℃以下となっているか否かを判断し、給湯循環検出温度が５０℃以下となったときには、ステップ１０５  で、給湯循環ポンプ１８の電源をオンとして給湯循環ポンプ１８を駆動させる。
【００３０】
次に、ステップ１０６  では、給湯循環ポンプ１８を駆動させている状態で、給湯循環温度センサ２６の給湯循環検出温度が、前記循環停止温度である５５℃以上となったか否かを判断し、給湯循環検出温度が５５℃以上となったときには、ポンプ駆動制御手段３０は、ステップ１０７  で、給湯循環ポンプ１８を停止させ、再びステップ１０４  に戻る。そして、ポンプ駆動制御手段３０は、ステップ１０４  からステップ１０７  までの動作を繰り返し行うことにより、図２の区間Ｒに示すように給湯循環ポンプ１８のオン・オフ動作を行って、給湯循環管路２３内の給湯循環の湯温を５０℃以上５５℃以下の温度に保つようにする。
【００３１】
また、本実施形態例では、このような給湯循環管路２３内の湯の循環および保温を行う一方で、図３のステップ１０８  からステップ１１８  までの動作により、給湯循環ポンプ故障判断部３１による給湯循環ポンプ１８の故障判断動作を行う。まず、前記ステップ１０６  で、給湯循環検出温度が５５℃未満であると判断されたときに、ステップ１０８  で、加温循環系６ａ〜６ｄの各給湯器１１および温水循環ポンプ８が全て故障しているか否かを判断し、故障しているときには、ステップ１２３  で、システム全体を停止させる。また、加温循環系６ａ〜６ｄのうち、１つ以上が正常であったときには、ステップ１０９  で、加温循環系６が１台以上運転されているか否かを判断する。そして、加温循環系６ａ〜６ｄが全て停止している状態のときには、ステップ１１０  で、給湯循環検出温度が５５℃以上か否かを再び確認し、給湯循環検出温度が５５℃以上のときには、ステップ１０７  に進む。
【００３２】
一方、ステップ１１０  で、給湯循環検出温度が５５℃未満であると判断されたときには、ステップ１１１  で、ステップ１０９  より３０分待機後、ステップ１１２  へ進み、給湯循環検出温度が４５℃（ポンプ故障判断基準温度）以下か否かを、給湯循環ポンプ故障判断部３１によって判断する。そして、図２のＢのように給湯循環検出温度が４５℃以下のときには、給湯循環ポンプ１８の故障の可能性があると判断してステップ１１３  に進み、給湯循環ポンプ１８の電源をオフとしてエラーフラッグを立て、ステップ１１４  に進む。なお、ステップ１１１  で、ステップ１０９  より経過したと判断される前に給湯循環検出温度が４５℃以下となることもあるが、ステップ１０９  から３０分経過する前に再び給湯循環検出温度が４５℃を越えた場合（図２のＡ）は給湯循環ポンプ１８の故障判断をせずにステップ１０６  へ戻る。
【００３３】
ステップ１１４  では、前記エラーフラッグの数が３本に達したか否かを判断する。そして、エラーフラッグが３本に達していないときには、ステップ１１５  で、前記ステップ１１３  から１分が経過した後に、ステップ１１６  で給湯循環ポンプ１８の電源をオンとし、再びステップ１０６  に戻る。一方、前記ステップ１１４  で、エラーフラッグが３本に達したと判断されたときには、加温循環系６ａ〜６ｄが全て停止している状態で、給湯循環検出温度が循環開始温度以下となってから基準時間３０分たったときにポンプ故障判断基準温度４５℃以下となった回数が予め与えられた基準回数に達し、給湯循環ポンプ１８の故障が生じていると判断されるために、ステップ１１７  で、給湯循環ポンプ故障判断部３１は給湯循環ポンプ１８の故障を確定し、故障報知部３４によって、給湯循環ポンプ１８の故障を報知するための警報を、エラーランプの点滅によって行い、給湯循環ポンプを停止させる。
【００３４】
なお、本実施形態例では、前記ステップ１１６  側からステップ１０６  に戻った後に、ステップ１０６  又はステップ１１０  で、給湯循環検出温度が５５℃以上となったと判断されてステップ１０７  に進んだときには、ステップ１０７  で給湯循環ポンプ１８を停止させると共に、ステップ１１３  で立てたエラーフラッグを消去するようにしており、このようにすることで、加温循環系６ａ〜６ｄが全て停止している状態で、給湯循環検出温度が循環開始温度以下となってから基準時間３０分たったときに４５℃以下となった回数が続けて３回に達したときにのみ給湯循環ポンプ１８の故障を確定するようにしている。
【００３５】
本実施形態例によれば、上記動作により、給湯循環温度センサ２６によって検出される給湯循環検出温度に基づいて、給湯循環検出温度が循環開始温度以下となったときに給湯循環ポンプ１８を駆動させ、給湯循環検出温度が循環停止温度以上となったときには給湯循環ポンプ１８を停止させるようにして、給湯循環管路２３内の湯温が循環停止温度から循環開始温度までの範囲内のときに湯を循環させるようにすることにより、給湯循環管路２３内の湯を常に循環させていた従来例に比べ、省エネルギー化を図ることが可能となる。
【００３６】
また、本実施形態例によれば、前記給湯循環検出温度に基づいて、加温循環系６ａ〜６ｄが全て停止している状態で、給湯循環検出温度が、前記循環開始温度以下になってから基準時間としての３０分経過後にポンプ故障判断基準温度以下となった回数が、続けて３回となったときに、給湯循環ポンプ１８の故障が判断されるために、たとえ、給湯循環管路２３に介設した流水スイッチ２２が故障したとしても、給湯循環ポンプ１８の故障を的確に判断することが可能となり、それにより、給湯循環ポンプ１８が故障したときには、迅速、かつ、的確に故障対処を行うことができる。
【００３７】
なお、本発明は上記実施形態例に限定されることはなく、様々な実施の態様を採り得る。例えば、上記実施形態例では、循環開始温度として５０℃を設定し、循環停止温度として５５℃を設定し、ポンプ故障判断基準温度として４５℃を設定したが、これらの温度は、特に限定されるものではなく、それぞれ適宜設定されるものである。
【００３８】
また、上記実施形態例では、給湯循環ポンプ１８の故障を判断するときの基準時間を３０分とし、基準回数を３回としたが、基準時間や基準回数は適宜設定されるものであり、例えば基準回数は１回としても構わない。
【００３９】
さらに、上記実施形態例では、各加温循環系６ａ〜６ｄの給湯器１１は、ガス燃焼式の給湯器（瞬間湯沸かし器を含む）を例にして説明したが、この給湯器１１は石油燃焼式の給湯器であってもよい。
【００４０】
さらに、上記実施形態例では、４つの加温循環系６ａ〜６ｄを設けて大能力給湯装置を構成したが、本発明の大能力給湯装置に設けられる加温循環系の数は適宜設定されるものであり、例えば、４つ以外の複数でも構わないし、あるいは、一次的に大容量の湯が使用されてもその大容量給湯負荷に耐え得る能力を有する給湯器を備えていれば、加温循環系は単数であっても構わない。また、その動作の順番は耐久性を考慮して動作時間や作動回数がそれぞれの加温循環系で等しくなるように適宜変更してもよい。
【００４１】
さらに、上記実施形態例では、給湯循環ポンプ故障判断部３１によって給湯循環ポンプ１８の故障が判断されたときには、リモコン３５の故障報知部３４によって、警報をエラーランプで点滅させたりして、給湯循環ポンプ１８の故障を報知するようにしたが、給湯循環ポンプ１８の故障の報知の仕方は特に限定されるものではなく、適宜設定されるものであり、例えば、通信回線等を利用して、給湯器の修理を行う会社等に通報を行うようにしてもよい。
【００４２】
【発明の効果】
本発明によれば、給湯循環温度センサによって検出される給湯循環検出温度に基づいて、給湯循環ポンプを駆動制御して、給湯循環管路内の湯温が循環停止温度から循環開始温度までの範囲内のときに湯を循環させるようにし、このような制御を行いながら、前記給湯循環検出温度に基づいて、加温循環系が停止している状態で、給湯循環検出温度以下となってから基準時間以上たったときの給湯循環検出温度を求め、この給湯循環検出温度が前記循環開始温度よりも低いポンプ故障判断基準温度以下となった回数が予め与えられた基準回数となったときに、給湯循環ポンプの故障を判断するようにしたものであるから、給湯循環管路に介設した流水スイッチのオン・オフ動作の検知によって給湯循環ポンプの故障を判断していた従来例とは異なり、たとえ、流水スイッチが故障したとしても、給湯循環ポンプの故障を的確に判断することが可能となり、それにより、給湯循環ポンプが故障したときには、迅速、かつ、的確に故障対処を行うことができる。
【図面の簡単な説明】
【図１】本発明に係る大能力給湯装置の一実施形態例における給湯循環制御部の要部構成を示すブロック図である。
【図２】上記実施形態例における給湯循環検出温度と、給湯循環検出温度を利用しての給湯循環制御動作および給湯循環ポンプ故障判断動作の説明図である。
【図３】上記実施形態例における給湯循環制御動作および給湯循環ポンプ故障判断動作を具体的に示すフローチャートである。
【図４】大能力給湯装置の一例を示すシステム構成図である。
【符号の説明】
１  貯湯槽
６ａ〜６ｄ  加温循環系
１８  給湯循環ポンプ
２３  給湯循環管路
２６  給湯循環温度センサ
３０  ポンプ駆動制御手段
３１  給湯循環ポンプ故障判断部
３３  メモリ部
４９    カウント指令部
５０    カウンタ回路
【図１】
0003611396.tif 000002
【図２】
0003611396.tif 000003
【図３】
0003611396.tif 000004
【図４】
0003611396.tif 000005